Podtech/llm-jp-corpus-v4-ja_patent huggingface dataset:
(57)【要約】【課題】餅を油で揚げて作る揚げ餅は、乾燥餅を使った場合は堅いせんべい状になってしまうか、生の餅を使った場合は内部に油が染み込んでしまうという欠点を持っていた。その両方の欠点をクリアーした、、周りはカリッとした食感ながら中は餅本来のやわらかさを持った今までに無い新しい揚げ餅を作る。【解決手段】手ごろな大きさの餅を冷凍して解凍せずにそのまま適温に熱した油に入れると、餅の周囲が油に反応して揚がるのに用する時間の間に、内部が解凍され周囲がこんがりといい揚げ色になった時には、内部もつきたての餅のように柔らかな揚げ餅を作ることができる。【選択図】  図１
2005006627.tif 000002
【特許請求の範囲】
【請求項１】
餅を冷凍庫で完全に冷凍し、解凍せずにそのまま適温に温めた食用油の中で素揚げした揚げ餅の製法
【請求項２】
餅の中にめんたいこや生のエビやキムチやのりで巻いたチーズといった生物を入れ込んで冷凍した物を冷凍のまま油で揚げる。
【発明の詳細な説明】
【０００１】
【発明の属する技術分野】
本発明は、冷凍したままの餅を解凍せずにそのまま油で揚げ、周りはカリッと中は柔らかといった新しい食感を持った揚げ餅を作るための物である。
【０００２】
【従来の技術】
従来、揚げ餅は餅を小さく切って乾燥させてから油で揚げて作っていた。そのため、揚げ餅は全体にカリッとした堅い食感を持った餅と言うよりむしろせんべいに近い食品であった。また一部では餅をそのまま油で揚げるということも行われてはいるが、この方法で調理すると餅の内部に油が染み込みすぎるという欠点を持っていた。
【０００３】
【発明の実施の形態】
本発明は食べ易い大きさの餅を、そのまま冷凍しで解凍せずに油で揚げて調理することにより、周囲が揚がるために要する時間の間に、中の部分の餅が解凍され、柔らかなつきたての餅状態になることを可能にした。
【０００４】
【発明の効果】
本発明は周りがカリッとせんべい状で中は餅本来の柔らかさと旨みを持った新しい揚げ餅を作ることを成功させた。またてんぷらやとんかつがそうであるように、このようにすると内部に油が染み込み過ぎるということもなくなる。
また従来揚げ餅の生地の中に交ぜ混む食材は乾燥された乾物に限られていた。それは生地を小さく切って乾燥させるために腐敗が心配なためであった。しかしこの本発明の方法であればその心配がなくなるため、餅の中にめんたいこやキムチやのりを巻いたチーズあるいは生のえびといった食材を、餅の中に練りこんだり包みこんだりすることも可能とした。
【図面の簡単な説明】
【図１】冷凍された餅の図面である
【図２】餅の中にチーズを入れ込んだ断面図である
【符号の説明】
１  餅
２  チーズ
【図１】
2005006627.tif 000003
【手続補正書】
【提出日】平成15年12月2日(2003.12.2)
【手続補正１】
【補正対象書類名】図面
【補正対象項目名】全図
【補正方法】変更
【補正の内容】
【図１】
2005006627.tif 000004
【図２】
2005006627.tif 000005
(57)【要約】【解決手段】原料コーヒー粉末にビタミンＡ、Ｂ群ビタミンＣ、ビタミンＤ、ビタミンＥより一種または二種以上のビタミンエキスと水の混和物を凍結乾燥させて加熱脱水して成ることを特徴とするビタミン強化コーヒー粉末の製造方法。【効果】ビタミンＡにより視神経ビタミンＢ１、Ｂ２により脳に活性化及び、エネルギー産生の栄養素がある。またビタミンＣ、ビタミンＥの酸化防止作用により、肌の美白やシミ、ソバカスの減少に有効である。また食物繊維カルシウム等併用することにより胃腸や骨の健康維持に寄与するし風味向上の嗜好物コーヒー粉末となる。【特許請求の範囲】
【請求項１】
アカネ科の常緑低木熱帯樹コーヒーより製した原料コーヒー粉にビタミンＢ１一種もしくは数種のビタミンを組合せ混合含有させて成る事を特徴とするビタミン強化粉末コーヒー
【請求項２】
糖溶液または液体植物性油脂クリーミング食品  ミルクにビタミン一種（βカロチンを含む）もしくは数種のビタミンを組合せ混入含有させて成ることを特徴とするコーヒー用シロップまたはコーヒー用植物性油脂クリーミング食品ミルククリーム
【発明の詳細な説明】
【産業上の利用分野】
【０００１】
本発明は原料コーヒー粉にビタミンＡやビタミンＢ１．Ｂ２．ビタミンＢ群ビタミンＥ、他のビタミン種類のエキスと水を添加した混合物を凍結して真空加熱による脱水を行って乾燥させ人体の視神経及び頭脳に好影響を与えることを考慮し、ビタミンの薬用効果を応用し健康管理もできる。粉末コーヒーの製造法に関するもので目的とするところは、ビタミンの有効成分を広く勧奨するためコーヒーを媒体として常時それが人体に機能させるようにした保健飲料を得るためとビタミン特有のさわやかな旨味が嗅覚と味覚とを通じて独特な香味として誰にも愛好されるようなビタミン強化粉末コーヒーを得ようとするにある。
【０００２】
【従来の技術とその問題点】
従来の粉末コーヒーは代表的な嗜好物であるが栄養素ではなく、香味によって口舌の快を求め必要な興奮を与える飲食物で薬用効果やビタミン、食物繊維が成分として無いに等しい問題点もあった。またこの様なビタミンＡ、ビタミンＢ群、ビタミンＣ、ビタミンＥ、その他のビタミン類を含有させた粉末コーヒーは、市場に出回っていない状態である。
【０００３】
【発明が解決しようとする課題】
粉末の原料コーヒー粉に液体のビタミンエキスと水を添加し、含水混合物にしてそれを乾燥加工し再び粉末化する場合は一般に芳香性を劣化させる嫌いあることが言われている。ビタミン固有の美味しい旨味を製品コーヒー粉に混入して在来のコーヒーより優位な香味の発現を可能ならしめると共に薬用効果を生じせしめる。
【０００４】
【問題点を解決するための手段】
原料コーヒー粉にビタミンエキスと水または海洋深層水を加えて含水混合物を、−３５℃の冷凍庫で予備凍結させそれを凍結乾燥機の真空容器に収め、初め３８℃の機内に１１時間、ついで５２℃機内に１３時間延べ２４時間を要する加熱脱水処理を行って乾燥させる。またビタミンエキスと海洋深層水とを混合させ、乾燥機で混合攪拌し凍結乾燥させ海洋深層水が含有している豊富なミネラル成分、燐・窒素・珪素等が本製品粉末コーヒーに強化補強出来るのは勿論コーヒー用シロップやコーヒー用植物性油脂クリーミング食品粉ミルク等にも応用できる。
【０００５】
【作用】
原料コーヒー粉の粉末体にビタミンエキスと水の液体を添加して含水体とした混合物を−２８℃の冷凍庫で凍結させて固体にした後、真空容器に納めて、−３８℃で１１時間、５２℃で１３時間延べ２４時間費やして加熱脱水処理を施すが、そのとき水は溶けることなく直接ガス状の気体に変化する昇華現象が生じて脱水されて乾燥するから前記混合物の原料コーヒー粉は放香性を留保したまま原料に復元し、ビタミンエキスはそれを合体した粉体となる従って原料コーヒー粉に均等に拡散して混入でき且つ、コーヒーの風味を向上させビタミン強化のコーヒーを効率よく製することができる。
【０００６】
【実施例▲１▼】
原料コーヒー粉５ｋｇとビタミンエキス５ｋｇ及び水１ｋｇを混合機で混合させて得た含水体の混和物を０．５ｋｇづつ容器に盛り高周波電圧を通電させ棚に並べ冷凍庫に格納して、−２８℃の庫内で１１時間予備凍結させた充分凍結したものを凍結乾燥機の真空容器に入れ、初め３８℃の機内で１３時間加熱して脱水処理を行い乾燥させる。この処理後真空を解除し粉砕機に入れ３０分粉砕して防湿空調室内で荒砕きし再び選別してから粉砕機にかけ９０メッシュの微粉末にして１００ｇづつの分包製品にした。
【実施例▲２▼】
原料コーヒー粉末に凍結乾燥しないで直接ビタミンＢ１、Ｂ２の水溶液を噴霧状態にして含侵させ水分を蒸発させるとコーヒー粉末の粒子が大きくとも均一に拡散できビタミンはよく混合して異和感のないコーヒー粉末となり、インスタントコーヒー粉末には特に粕が出来ないのでビタミンが体内に無駄なく吸収出来た。
【実施例▲３▼】
コーヒー用植物性クリームの製り方は植物の油脂、砂糖、カゼイン、乳化剤、ＰＨ調整剤、香料、鉄、安定剤（カラギナン）等の原材料に薬理効果のある、微量栄養素ビタミン剤を添加して常法により製造する事ができ、またカルシウムの併用により骨や歯の健康維持に寄与することはもちろんである。
【０００７】
【発明の効果▲１▼】
本願発明によれば本発明品粉末ビタミンコーヒーを飲用することは健康にとって有益で、日常生活食事で薬事治療を行うことも出来るという効果が生じる。コーヒーの成分カフェインとビタミンＢ１、Ｂ２の相乗作用で精神の落着きが増加することが本発明品でわかり注目されている。
特にビタミンＢ１は疲労回復に貢献し、凍結真空乾燥させているのでコーヒー粉の香気性を低下させずに脳の神経を活性化させ病気予防に役立つのである。
【発明の効果▲２▼】
本発明品ビタミン粉末コーヒーを濾過飲用後、コーヒー粕を肥料に使用したところ植物の根の発育をよくし茎や葉の生長および開花、結実を促進する働きをもつことに気づき、これは肥料の三大要素である燐・窒素珪素のうちビタミンＢ１、Ｂ２、Ｂ３、Ｂ５、Ｂ６等が燐酸化合物として作用するので植物細胞が活性化される結果細胞分裂が旺盛となって根毛が増加し根の吸収力が活発化すると同時に葉緑素も増加して同化作用も活発化するので、全体として成長が早まると共に植物体の病原微生物に対する抵抗力が増大し一方では自然治癒力も増強されるので植物は病気になりにくくなると同時に衰弱状態から急速に回復する。植物生長調整の効果もあるし、特別の場合を除き化学合成農薬を使用する必要がないので農業公害を発生させないなど、農業技術の改善及び人々の健康促進上有益な効果がもたされる。
(57)【要約】【課題】従来のローヤルゼリー食品では、ローヤルゼリー自身に独特の臭いがあり、飲みにくいという問題があった。ローヤルゼリーの摂取者が別途必要とするカルシウム補給についてはローヤルゼリーだけでは解決できないという課題があった。【解決手段】乾燥ローヤルゼリー粉末又は乾燥酵素分解ローヤルゼリー粉末とイソフラボンと還元麦芽糖水飴とカルシウムを配合することで、別途カルシウムを摂取する必要が無くなった。また、還元麦芽糖水飴の糖衣錠にしたことにより、低カロリーでしかも臭いのマスキングを実現できた。【特許請求の範囲】
【請求項１】
乾燥ローヤルゼリー粉末又は乾燥酵素分解ローヤルゼリー粉末とイソフラボンと還元麦芽糖水飴とカルシウムを配合したことを特徴とするカルシウム吸収促進作用を持つ素材を含むローヤルゼリー糖衣錠ならびにその製造法。
【請求項２】
配合比率を還元麦芽糖水飴３０〜５０％、乾燥ローヤルゼリー粉末又は乾燥酵素分解ローヤルゼリー粉末１０〜５０％、カルシウム１０〜３０％、イソフラボン０．５〜３％としたことを特徴とする請求項１に記載のカルシウム吸収促進作用を持つ素材を含むローヤルゼリー糖衣錠ならびにその製造法。
【発明の詳細な説明】
【０００１】
【発明の属する技術分野】
本発明は、乾燥ローヤルゼリー粉末又は乾燥酵素分解ローヤルゼリー粉末を含む食品に関する。
【０００２】
【従来の技術】
下記特許のごとく、ローヤルゼリーのプロテアーゼによる分解物にイソフラボン等を添加した食品が開示されている。
【０００３】
【特開２０００−３４２１７６】
【０００４】
【発明が解決しようとする課題】
従来のローヤルゼリー食品では、ローヤルゼリー自身に独特の臭いがあり、飲みにくいという問題があった。さらに、ローヤルゼリーを摂取する更年期以降の世代の人々が別途必要とするカルシウム補給についてはローヤルゼリーだけでは解決できないという課題があった。
【０００５】
【課題を解決するための手段】
第一の発明では、乾燥ローヤルゼリー粉末又は乾燥酵素分解ローヤルゼリー粉末とイソフラボンと還元麦芽糖水飴とカルシウムを配合することで、別途カルシウムを摂取する必要が無くなった。また、還元麦芽糖水飴の糖衣錠にしたことにより、低カロリーでしかも臭いのマスキングを実現できた。
【０００６】
さらに第二の発明では、配合比率を還元麦芽糖水飴３０〜５０％、乾燥ローヤルゼリー粉末又は乾燥酵素分解ローヤルゼリー粉末１０〜５０％、カルシウム１０〜３０％、イソフラボン０．５〜３％としたことで糖衣錠化を容易にした。
【０００７】
【発明の実施の形態】
以下、本発明について好ましい配合を挙げて詳細に説明する。
【０００８】
【実施例】
製法は、糖衣層においては、砂糖による糖衣層形成が一般的に使われる方法であるが、本発明においては還元麦芽糖水飴を使用することにより、そのカルシウム吸収促進効果を援用する。素錠には、大豆由来のイソフラボンを配合することにより骨からのカルシウム溶出抑制作用を援用する。糖衣層及び素錠ともにカルシウム素材を配合する。配合は以下のとおりである。
【０００９】
【表１】
2005006630.tif 000002
【００１０】
【発明の効果】
糖衣錠にして飲みやすくした。糖衣層を還元麦芽糖水飴で形成することにより、低カロリーを実現した。還元麦芽糖水飴を使用することにより、そのカルシウム吸収促進効果を援用した。大豆由来のイソフラボンを配合することにより骨からのカルシウム溶出抑制作用を援用した。カルシウム素材を配合することにより別途カルシウムを摂取しなくてよいようにした。
(57)【要約】【課題】魚の引きに対して指でブレーキ操作をするための、魚釣りストッパー付きのリールを提供する。【解決手段】リールスプール（１）のリール本体から遠い側の面の外側部（２）に突起（３）を装着し、突起（３）の指先への引っかかりを用いて、魚の引きに対応して糸の出方を調節し、ブレーキ操作を行うことを特徴とする。【選択図】図  １
2005006632.tif 000002
【特許請求の範囲】
【請求項１】
リールスプール部（１）のリール本体から遠い側の面の外側部（２）に突起（３）（３）（３）（３）を設けた魚釣りストッパー付きのリール。
【発明の詳細な説明】
【０００１】
【発明の属する技術分野】
この発明は、魚の引きに指でブレーキ操作をするためにリールスプール部の本体から遠い側の面に突起を設けた魚釣りストッパー付きのリールに関するものである。
【０００２】
【従来の技術】
従来、ブレーキ操作を行うために指をあてていたリールスプール部のリール本体から遠い側の面は、その形状が平面状であったり、穴を設けたり、又外輪部に波状の凹凸を設け、リール本体から遠い側の面や外輪部に指を押し当てブレーキ操作をしていた。
【０００３】
【発明が解決しようとする課題】
これは次のような欠点があった。
（イ）  魚が針掛かりしたとき、糸を送り出すこともありその際、ブレーキ操作は糸を巻いているリールスプール部のリール本体から遠い側の面を押さえている指で行うこととなり押さえている指の腹を糸の出る方向に回転しているスプール面との摩擦熱で痛めてしまうこともあった。
（ロ）  指で押さえているリールスプール部のリール本体から遠い側の面が水濡れにより滑り、魚の引きに耐えられずブレーキ操作ができないことがあった。
（ハ）  ブレーキ操作を行う指には、リールスプール部のリール本体から遠い側の面を押さえ込むための強い力が必要であった。
本発明は、これらの欠点を除くためになされたものである。
【０００４】
【課題を解決するための手段】
リールスプール部（１）のリール本体から遠い側の面の外側部（２）の円周に沿って指をあてる面に、突起（３）（３）（３）（３）を装着する。
本発明は、以上の構成よりなる魚釣りストッパー付きのリールである。
【０００５】
【発明実施の形態】
以下、本発明の実施例について説明する。
リールスプール部（１）のリール本体から遠い側の面の外側部（２）の円周に沿って指をあてる面に、ゴム性の半球状の突起（３）（３）（３）（３）を装着する。
本発明は、以上のような構成でこれを使用するときは、突起（３）（３）（３）（３）を装着したリールスプール部（１）をリール本体に取りつけ、魚が針掛かりした場合は、突起（３）（３）の間に指先（４）を置き、突起（３）（３）（３）（３）の指先（４）への引っかかりを用いて、魚の引きに対応して糸の出方を調節し、ブレーキ操作を行う。
又魚信を待っているときは、突起（３）（３）の間に指先（４）を軽く押し当てた状態で待ち、魚信を見極めた時点で突起（３）（３）の間にある指先（４）を竿尻方向にある突起（３）に押し当て、魚の口に針を掛けるための合わせを入れる動作を行う。
突起（３）（３）（３）（３）は、シリコンゴムを使用し装着する。
【０００６】
【発明の効果】
（イ）  魚が針掛かりしたときの魚の引き込む力に対するブレーキ操作が指一本ででき、糸の出る方向に回転しているスプールとの摩擦熱で指の腹を痛めることがなく安全である。
（ロ）  スプールの回転にかかる負担は、正回転、逆回転ともに装着前と変わらず滑らかで安定した回転になる。
（ハ）  ブレーキ操作を行うための指の力は、強い力を必要とせず、長時間の操作もでき安全である。
【図面の簡単な説明】
【図１】本発明の平面図である。
【図２】本発明の正面図である。
【図３】本発明の使用状況を示す側面図である。
【符号の説明】
１  リールスプール、２  外側部、３  突起、４  指先
【図１】
2005006632.tif 000003
【図２】
2005006632.tif 000004
【図３】
2005006632.tif 000005
(57)【要約】      （修正有）【課題】捕獲する蝶の大きさに合わせて獲器部と餌台の間隔が調節自在な上、蝶を捕獲した時に逃がさないように速やかに間隔を閉じることのできる捕獲器の提供。【解決手段】餌台でもある受皿形状の下皿２の外周部を４等分した場所４箇所に設けた垂直な穴に、捕獲部の下部のリング５に取りつけたより糸１を通し、下皿２の下でこの４本のより糸１を纏めてストッパ４に通して端末を１つに結ぶ。ストッパ４の位置を変えることで捕獲部と下皿２の間隔を捕獲対象とする蝶の大きさに合わせて調節する。【選択図】  図１
2005006635.tif 000002
【特許請求の範囲】
【請求項１】
蝶を捕獲するトラップの構造である，下部のリング（５）に取りつけた，より糸（１）は下皿（２）に円周を四等分した、円周に近いところに、垂直により糸の通る位の穴をあけて，より糸（１）を通し，下皿の下部に四本のより糸を纏め，ストッパー（４）に通してトラップの間隔を自在に操作する事が出来る。
【０００１】
【発明の詳細な説明】
この発明は、蝶を捕獲する物（トラップ）で  南方の島では良く使われていた、最近日本では愛好家では広く使われる様になつた。しかしながら  相変わらず、古い型式の物を使用してきた，この発明は、トラップの操作に当たって，蝶の大きさで間隔の調節ゃ，蝶を捕獲した時，逃がさない様に，速やかに先ずは隙間を閉じることができる構造である。
【０００２】・
【発明の属する技術分野】
この発明は、捕獲器がストッパーを具備する事により間隔の調整、が速やかに出きる。、蝶を捕獲する物に関するものである。
【０００３】
【従来の技術】
トラップの餌台は４点支持で、固定式且つ、平板であったので  風で落ちたり飛んだりした。間隔の操作はできなかった。
【０００４】
【発明が解決しようとする課題】
従来の捕獲器の餌台は．間隔の調節が出来ない固定式で、その上、平板を使っていた。．以上の欠点を解決する事により、本件の課題が解決できる
【０００５】。
【課題を解決するための手段】
蝶の大きさにより、可変する間隔を調節する４本の紐を、一個のストッパーに通す事により一度の操作で間隔を調整する事が可能になった。平板の餌台を受け皿にして餌が風雨に飛ばされない様にした。
【０００６】
【発明の実施の形態】
以下、本発明の実施の形態について説明する、先ず、下部受け皿の直経の約２倍のより糸（１）を４本用意し，、ＦＲＰの下部リング（５）の４分の１の所にそれぞれ紐を結び、下部受け皿に紐のやっと通る位の穴を円周の４分の１のところに４箇所明けて、その穴に通し、４本の紐を纏めてストッパー（４）にとおしてその紐の端末を一つに結ぶ。
【図面の簡単な説明】
【０００７】
【図１】（１）より糸
（２）下皿
（４）ストッパー
（５）下部リング
【図２】（１）より糸
（２）下皿
（４）ストッパー
【図３】（１）より糸
（２）下部皿
（３）垂直に空けられた穴
（５）下部リング
【図４】
【図の説明】
蝶が餌に誘引されて給餌したら真上に飛び立つ習性がある。
【図５】
【図の説明】
従来のトラップ（捕獲器）の一例。
【図６】
【図の説明】
左の図は間隔が開いて蝶が入れる状態，右の図は間隔の閉じた状態である。
【図１】
2005006635.tif 000003
【図２】
2005006635.tif 000004
【図３】
2005006635.tif 000005
【図４】
2005006635.tif 000006
【図５】
2005006635.tif 000007
【図６】
2005006635.tif 000008
(57)【要約】【課題】現在のガムは味その他色々な効能のあるガムはあるが、噛む行為はそれぞれ毎日の生活の中でストレス解消になると思えるのに、ただばくぜんとかんでいた。夫や妻や上司などに、色々な思いで的を得て噛み、癒しが欲しいと思った。【解決手段】色々な目的があって噛むガムはストレス解消になっているが、夫に腹の立っている人。妻に腹の立っている人、又、上司に腹の立った時など、それぞれの恐怖に満ちた形のガムを噛めば楽しんでストレス解消や癒しになる。噛んだ後葬り去り容器に入れて捨てるまでが楽しい。【選択図】      図１
2005006633.tif 000002
【特許請求の範囲】
【請求項１】
ガム自身の形を色々な形にすることを特徴とするものなり。
【請求項２】
キャラクター、ペット、野菜、果物、乗り物、ミニおもちゃなど。
【請求項３】
美人、社長、上司、夫、ワイフ、彼氏、彼女など噛まれて捨てられる恐怖におののく姿のガム。
【請求項４】
容器はカップ式でカップとふたは続いている外の絵は威張った姿の絵容器の中の絵は消え行く哀れな末路の絵や字を書く。
【発明の詳細な説明】
【０００１】
【発明に属する技術分野】
ストレスの多い社会に少しでも自分の気がすむささやかなストレスかいしょうはないものかと思った。又噛んだガムを必ずこの容器に入れて捨てたいと思える容器の技術分野。
【０００２】
【従来の技術】
現在のガムは味その他色々効能のある物は沢山あるが、噛む行為はそれぞれ毎日の生活の中でのストレス解消になると思えるのに、ただばくぜん噛んでいた。夫や妻や上司などに、色々な思いで的を得て噛み、癒しが欲しいと思った。
【０００３】
【発明が解決しようとする課題】
発明が解決しようとする課題は、ただ漠然とかんでストレス解消にするのではなく、的を得て腹立たしさを噛んで噛んで葬り去りたい容器に入れて捨てれば安くて害のないストレス解消になるのではと考えた。
【０００４】
【課題を解決しようとする手段】
それぞれの腹の立つ原因になっている人への思いで噛んで噛んで葬り容器に入れて捨てれば、面白さに人知れることなく癒され、ストレス解消に役立つ手段だと思う。
【０００５】
【発明の実地の形態】
社長、上司、夫、妻、彼氏、彼女などの恐怖におののく形のガムを噛んで噛んで、葬りさり容器に入れることで、大人にはストレス解消ガムとなり、子どもたちには歯をきれいにし、噛んだ後はお休みと言って容器に入れさせる週間をつけさせる形とする。
【０００６】
【実地例】
ガムを噛む目的は色々あるが、せっかく噛むのにもう一つ楽しいプラスアルファがあればと考えた。形はミニおもちゃのように作ったり、また板状の上を盛り上げて形にしたりするものなり。
【０００７】
容器の形は形によりことなる。図５のようにワンタッチで開けふたは続けておく。容器の外中もそれぞれの意味にあった言葉や絵を印刷しておくものなり。
【０００８】
【発明の効果】
色々な目的があって噛むガムはストレス解消になるが、夫に腹の立つ人、妻に腹の立つ人、上司に腹の立った時など、恐怖に満ちた面白い姿のガムを噛めば楽しんでストレス解消や癒しになる。噛んだ後葬り容器に入れるまでが楽しくなる。
【図面の簡単な説明】
【図１】美人、上司その他噛んで捨てられる恐怖に満ちた姿のガム。
【図２】ペット、キャラクター、おもちゃ  などの形。
【図３】野菜、果物などの形。
【図４】食べ物の形。
【図５】それぞれの形に合わせたカップ式容器。
【符号の説明】
１、２              １と２で裏表にする
【図１】
2005006633.tif 000003
【図２】
2005006633.tif 000004
【図３】
2005006633.tif 000005
【図４】
2005006633.tif 000006
【図５】
2005006633.tif 000007
(57)【要約】【課題】従来の犬の靴は高値かつ重装備で日常の使用には向いていない上、汚れたら洗濯が不可欠であった。【解決手段】安価で簡単装着可能な使い捨てタイプの犬の靴であり、装着テープ部分３が設けられた筒型袋状の靴本体１の材質は例えばポリエチレンのような環境に無害で軽量、耐熱、防水、伸縮性のあるものを使用している。【選択図】図１
2005006636.tif 000002
【特許請求の範囲】
【請求項１】
使い捨てができることを特徴とする犬の靴
【請求項２】
安価でゴミとして捨てても環境的に無害な材質で筒型袋状に装着テープが付いた簡単固定装着可能な使い捨てのできることを特徴とする請求項１記載の犬の靴。
【発明の詳細な説明】
【０００１】
【発明の属する技術分野】
この発明は、犬に用いる靴の形状に関する
【０００２】
【従来の技術】
従来の犬の靴は高値なうえ重装備で、汚れは洗わなければ落ちなかった。
【０００３】
【発明が解決しようとする課題】
しかしながら、以上の従来技術によれば、高値で購入意欲が欠けるとともに重装備で洗濯が不可欠である為、日常に使用するには至らない点が多かった。
そこで、この発明は、安価かつ軽量で装着が容易で使用後に外して捨てられる使い捨てタイプの犬の靴を提供することを課題とする。
【０００４】
【課題を解決するための手段】
以上の課題を解決するために、請求項１の発明は、使い捨てができることを特徴とする犬の靴である。
また、請求項２の発明は、安価でゴミとして捨てても環境的に無害な材質で筒型袋状に装着テープの付いた簡単固定装着可能な使い捨てのできることを特徴とする犬の靴である。
【０００５】
【発明の実施の形態】
この発明の一実施形態を、図１に示す。
筒型袋状の靴本体１はゴミとして燃やしても無害で耐熱、防水性を兼ね備えた多少の伸縮性がある材質から成り、軽量安価で使い捨てができる。  靴本体１の後面には切り込み２があり、切り込みの片面には装着テープ部分３が設けられており、使用時にシール４をはがして粘着面５を巻きつけて固定装着する。
この実施形態によれば、切り込み２の働きと装着テープ部分３を巻きつけて容易に固定装着することができる。  したがって、簡素化された犬の靴ができる。
【０００６】
図１の実施形態では切り込み２と装着テープ部分３は後面にあるが、他の実施形態では、前面に設けたものでも良い。
【０００７】
また、より通気性を重視した場合や室内での使用には、靴本体１の材質をメッシュ加工したものを使用したものでも良い。
【０００８】
さらに、靴本体１の材質の着色加工により犬の毛と同色のものや、多種多様な色合いの靴でも良い。
【０００９】
【実施例】
例えば夏の高温の路面や雨天時の悪路やホコリ、ばい菌などから犬の手足を保護でき、使用後は外してそのまま捨てられる犬の靴である。
【００１０】
【発明の効果】
以上説明したように、この発明によれば、簡素化が実現し、装着が容易で、日常的に犬の手足を保護できる使い捨て用の安価な犬の靴ができる。
【図面の簡単な説明】
【図１】この発明の一実施形態を示した前面方向からの斜視図である。
【図２】この発明の一実施形態を示した側面方向からの斜視図である。
【図３】この発明の一実施形態を示した装着時の斜視図である。
【符号の説明】
１  靴本体
２  切り込み
３  装着テープ部分
４  シール
５  粘着面
【図１】
2005006636.tif 000003
【図２】
2005006636.tif 000004
【図３】
2005006636.tif 000005
(57)【要約】【課題】ルアー本体外観は小魚のように自然で、釣りの対象となる魚への見極めを困難なものとし、既存のルアーよりも釣果を向上させることができるルアーを提供することである。【解決手段】ルアー本体表面に本物の小魚の魚皮及びエラブタ周辺を被覆し、ルアーの外観を釣りの対象魚の餌となる小魚により近づけた。これにより釣りの対象となる魚による見極めを困難なものとした。【選択図】    図１
2005006619.tif 000002
【特許請求の範囲】
【請求項１】
本物の小魚の魚皮及びエラブタ周辺をミノープラグタイプのルアー本体に被覆したことを特徴とする釣り用ルアー。
【発明の詳細な説明】
【０００１】
【発明の属する技術分野】
この発明は、ルアー本体外観を限りなく本物の小魚へと似せて、釣果を向上させることができる釣り用ルアーに関する。
【０００２】
【従来の技術】
従来の魚釣りに用いられるルアー表面には、ルアー本体に直接塗装を施したり、反射板を定着させたりし、その上から塗装を施し、コーティング処理されただけで完成していた。
【０００３】
ところが、上記のような塗装を施し、小魚を模倣しただけのルアーは、使用頻度が多くなるにつれて、釣りの対象となる魚に、餌となる小魚であるか、疑似餌であるかが見極められることが多く（外観に不自然さがあるため）、釣果が向上せずにいた。
【０００４】
【発明が解消しようとする課題】
この発明は、ルアー本体外観は小魚のように自然で、釣りの対象となる魚への見極めを困難なものとし、既存のルアーよりも釣果を向上させることができるルアーを提供することである。
【０００５】
【課題を解決するための手段】
ルアー本体表面に、本物の小魚の魚皮及びエラブタ周辺を被覆し、ルアーの外観を釣りの対象魚の餌となる小魚により近づけた。これにより、釣りの対象となる魚による見極めを困難なものとする。
【０００６】
ルアー本体のボディー表面に魚皮を被覆する前に反射板を貼り、塗装を施し、ルアーの頭部にはエラブタを被覆し、義眼を装着し塗装を施す。
【０００７】
この時の塗装時の塗装の仕方や、塗料の色を変える事により、釣りの対象となる魚の好みに併せることができる。
【０００８】
又、被覆に使用する魚皮及びエラブタ周辺を多様な魚種からの選択、使用により、釣りの対象となる魚の好みに併せることができる。
【０００９】
なお、ボディー表面に貼り付ける反射板とは、アルミ箔やレインボーシートを貼り付けることが望ましいが、水中で光を反射させ対象魚にアピール出来る素材なら適用可能である。
【００１０】
【発明の実施の形態】
この発明の実施の形態を図面を参照して以下に説明する。
図１は、この発明の全体の斜視図であり、図２は、全体の側面図である。
【００１１】
図３を参照して、ルアーのボディー表面に反射板▲４▼を貼り付け、その上から塗装を施し、更にその上から本物の小魚の魚皮▲１▼を覆い、乾燥を施した状態。
【００１２】
図４を参照して、ルアーの頭部にエラブタ周辺▲２▼を被覆し乾燥させ、義眼▲３▼を装着し、その上から塗装を施した状態。
【００１３】
図３、図４の段階を踏んだ上でコーティング処理を行い、図１、図２の状態となる。
【００１４】
塗装時の塗装の仕方や塗料の色を変える事により、釣りの対象となる魚の好みに併せることができる。
【００１５】
又、被覆に使用する魚皮▲１▼及びエラブタ周辺▲２▼を多様な魚種からの選択、使用により、釣りの対象となる魚の好みに併せることができる。
【００１６】
なお、反射板▲４▼には、アルミ箔やレインボーシートが望ましいが、水中で光を反射させ釣りの対象となる魚にアピール出来る素材なら適用可能である。
【００１７】
【発明の効果】
この発明は、ルアー本体に本物の魚皮及びエラブタ周辺を被覆することにより、ルアー本体の外観がより小魚のような自然なものとなり、釣りの対象となる魚による見極めが困難になり、より釣果を向上させることができる。
【図面の簡単な説明】
【図１】この発明の全体の斜視図である。
【図２】この発明の全体の側面図である。
【図３】この発明の魚皮を被覆した斜視図である。
【図４】この発明のエラブタ周辺を被覆した斜視図である。
【符号の説明】
１  魚皮
２  エラブタ周辺
３  義眼
４  反射板
【図１】
2005006619.tif 000003
【図２】
2005006619.tif 000004
【図３】
2005006619.tif 000005
【図４】
2005006619.tif 000006
(57)【要約】【課題】日本の取巻く生活環境は益々悪くなり、生活しにくい状況が予想されます．環境汚染の悪化は人々の体を蝕み、改善策が見出せません．日々の生活の中で健康維持を簡便に進めること、また、スポーツ選手においては自己の健康管理を容易にし、日々の練習・大会において素晴らしい成績を収めることが課題です．【解決手段】鹿児島県で古くから伝わる「茶節」を基に、焼津水産化学工業株式会社が開発した「フィッシュペプチド粉末」を配合して製品化を試みました．茶節の原料は、厳選された緑茶粉末、鰹節抽出粉末、味噌粉末さらに天然型濃縮アンセリン含有フィッシュペプチド粉末とし、健康食品や清涼飲料水の形態で製品化します．【特許請求の範囲】
【請求項１】
かつお・マグロ抽出物によるイミダゾール化合物を主成分とする加工食品
【発明の詳細な説明】
【０００１】
【発明の属する技術分野】
お茶、鰹節、味噌が主成分である茶節とかつお・マグロ抽出物であるイミダゾール化合物を組み合せた健康維持効果及び抗疲労効果に関する加工食品．
【０００２】
【従来の技術】
茶節は、鹿児島県で古くから伝わる伝統的民間飲料で、疲れた時、風邪を引いた時等に対して、身近にある素材を活かした健康維持・疲労回復の為に考え出されたものです．
鹿児島県枕崎市は日本有数の鰹漁港で、鰹節の生産量では日本一です．茶節は身近にある特産の鰹節を何気なくお茶に入れ、さらに味付けとして味噌を加え、鹿児島県人の生活に自然な形で根付いたものと思われます．鰹節の産地である鹿児島県の方達は、鰹節の旨み以外に素晴らしい成分が含まれていることを知っていたに違いありません．お茶に於いても今や日本人ばかりでなく、アメリカ人にも親しまれるようになり、緑茶の成分が健康に良いことが発表され、さらにヨーロッパの国々の方達にも親しまれ、広まり始めました．
しかし、素晴らしい効果を有する飲物である茶節は鹿児島県以外では余り知られておりません．そこでこの素晴らしい茶節の効能効果を全国に広め、日本人の健康維持、疲労回復に役立てようと考えました．今、健康食品やアミノ酸飲料がものすごい勢いで販売されております．この茶節の効果を表現するために、天然素材を活かした健康食品や清涼飲料水として茶節を製品化してみたいと考えます．
【０００３】
【発明を解決しようとする課題】
今や、日本は世界一の高齢化社会を迎えようとしています．しかし、高齢者が元気で生活するには厳しい環境が待っております．Ｏ−１５７、ＳＡＲＳ、エイズ、農薬汚染の野菜、化学飼料漬けの家畜、狂牛病、水銀等金属汚染の魚介類、飲料水である河川の悪化さらに医療制度、社会保障の問題など益々生活環境が厳しい方向に進むと思われます．
そのような生活環境が続く中で、天然素材を活かした鹿児島県の伝統的民間飲料である茶節を自然な形で毎日の生活に取り入れることにより、高齢者の糖尿病、高血圧症、痴呆症、動脈硬化等を未然に防ぐことが可能になります．
また、スポーツ選手が茶節を取り入れる事で、お茶の成分、鰹やマグロの成分であるイミダゾール化合物が選手達の抗疲労効果や健康維持に役立つものと考えます．
【０００４】
【課題を解決する手段】
茶節は、緑茶、鰹節、味噌を配合したそれぞれの成分を生かした健康飲料で、鹿児島県で古くから親しまれている飲み方です．
この茶節を復活させようと考えついた動機は、焼津水産工業株式会社が開発した世界初の「フィッシュペプチド粉末」です．このフィッシュペプチドはかつお・マグロの煮汁を利用して製品化した天然型濃縮アンセリン含有イミダゾール化合物粉末です．アンセリンについては、魚介類の専門書や焼津水産化学工業株式会社の研究資料にも詳しく効能効果が記載されております．この濃縮アンセリンを主成分としたフィッシュペプチド粉末を、鹿児島県伝来の天然素材である緑茶、鰹節、味噌の抽出粉末と混ぜ合せて、粉末成形した製品を商品化することを試みました．
また、清涼飲料水に於いても、茶節の味覚は、鹿児島県人に古くから親しまれてきた天然素材を活かした飲物ですから、市場に受け入れられる飲料水に仕上げることは可能です．
【０００５】
【発明の実施の形態】
天然型濃縮アンセリン含有イミダゾール化合物配合の茶節は、その素材をできる限り天然、自然な状態に維持しかつその新鮮さを保持しつつ素材から商品化への加工工程において、添加物や熱、水、圧力、空気、酸化等の品質劣化要因の少ない商品形態に考慮しなければなりません．また、一日摂取量、体内吸収、食べやすさ、取扱い易さ、コスト、関係法規の要因も考慮しなければなりません．
茶節の製品化は、自体公知の食品或は食品成分、賦形剤、医薬担体と自体公知の方法で配合し、天然型濃縮アンセリン含有イミダゾール化合物粉末と緑茶粉末、鰹節抽出粉末、味噌粉末の組合せは薬理薬効を有する食品とすることができます．用いる食品或は食品成分は特に限定するものではなく、目的とする薬理薬効の具体的用途に応じて当業者が適宜選択できます。また、形態も特に限定するものではなく、具体的用途に応じていろいろな液体や固体そして形状にすることができます．
【０００６】
【実施例】
鹿児島県出身の元陸上競技者である宮崎博史氏に依頼して、陸上競技選手数名及びご本人に摂取していただいた．
茶節の製品化において、緑茶は三重県の無農薬、鰹節粉末は鹿児島県枕崎市の食品会社、味噌は長野県の蔵元そして天然型濃縮アンセリン含有イミダゾール化合物のフィッシュペプチド粉末は静岡県焼津市に本社がある焼津水産化学工業株式会社に依頼しました．
それらを適宜配合して試験をしていただいた．問題はアンセリンの含有量で、焼津水産化学工業株式会社又平課長に指導を受けました．
摂取量は１日で濃縮アンセリン含有フィッシュペプチドを１ｇの目安で、全員に摂取していただいた．結果、宮崎氏は花粉症が止まり、肩こりが軽減し、日々の疲れが翌日に残らなくなった．各陸上選手は短距離系選手で、乳酸の蓄積が少なく疲れが翌日に残らず、３月下旬に行われた沖縄合宿の１０日間を無事終了できたとのことです．
【０００７】
【発明の効果】
天然型濃縮アンセリン含有イミダゾール化合物粉末配合の茶節は、健康維持及び抗疲労効果を目的として毎日の食事と共に摂取しなければならない必要不可欠な物質です．現代社会で問題になっている生活習慣病や諸疾患さらにスポーツ選手の抗疲労改善や健康維持に、天然型濃縮アンセリン含有イミダゾール化合物粉末配合の茶節の薬理薬効が効果を発揮するものと考えます。これらの薬理薬効については記載するまでもなく、あらゆる情報媒体や魚介類の専門書さらに焼津水産化学工業株式会社の研究資料に記載されています．
(57)【要約】      （修正有）【課題】犬の散歩時における糞の回収方法及びその治具を提供する。【解決手段】犬の散歩中犬が排便のようすを見せたとき犬の後にまわって回収篭をワンタッチで開き糞を回収します。今までのように犬の糞の回収にビニールや紙を介して直接糞を掴んだり、箸のようなもので回収せず、又地面に落ちる前に直接回収篭で受けるので、地面を汚すこともありません。排便の終わり次第スプリング式駆動部５を保持フック３迄引き上げると回収篭は、収納し密閉されるので、糞の入った袋を手で持たなくてすみます。【選択図】図１
2005006614.tif 000002
【特許請求の範囲】
【請求項１】
ステッキ状又は棒状の先端部分にワンタッチで折りたたみの出来る、犬の糞回収治具（篭）を付けた物。
【発明の詳細な説明】
【０００１】
【発明の属する技術分野】
本発明は、犬の散歩時における糞の回収方法及びその治具（篭）にかんするものである。
【０００２】
【従来の技術】
従来犬の散歩時には、テッシュペイパーとビニール袋を持って、犬の糞を回収してました。
【０００３】
糞を掴んだ指先の感触が気持ち悪い、少し柔らかな糞の場合には地面に付きその処理も厄介なものです。
その上、これらの動作の全てはしゃがんでしなければならない事、しゃがんで糞の始末をするので臭いも気になります．
【０００４】
【発明が解決しようとする課題】
本発明は、その欠点をなくして楽しい犬の散歩をするために考案した。
【０００５】
【課題を解決するための手段】
その結果、立ったままの状態で，棒状の治具にビニール袋（篭）を取り付けたものを犬のお尻の下に当てる、用が済んだら治具を閉じれば良い。
【０００６】
【発明の実施の形態】
立ったままの状態で動作をするには、棒状のものにビニール袋を取り付けるしかない、しかしビニール袋では挿入口を開くには手で開かねばならないし、しゃがまなければできません。それで治具を取り付け、
【図２】の１５−１５−１６の三角形の中にビニール袋を入れて先端部分を
【図１】の１０のとめ具にひっかけてとめます。（糞回収篭のできあがりです。）犬の散歩用なのでステッキ風にします。
【０００７】
糞の回収のビニール袋（篭）を開くときは、
【図１、３】の２を押すと５のスプリング式駆動部が３の留め金からはずれ、ワンタッチで篭が開きます。
【０００８】
閉じるときは
【図１，２】の５を１の方向に引き３の留め金具でとめる。
篭の挿入口の８の双方にはスポンジ製のパッキング１５がついてるので、密閉状になり臭わない。
【０００９】
【発明の効果】
請求項１記載の発明によれば、次の効果を奏する。
テッシュペイパーもビニール袋も持たず（ビニール袋はステッキの先に取り付けてる。）に済む。手でビニール袋又はテッシュペーパーを介して直接糞を掴むこともなく、地面に付いたのを洗い流す必要もない。特にゆるい糞のときは，大変です。
糞の入ったビニール袋を手に持つことなく、棒状又はステッキを持って犬の散歩ができる。
【図面の簡単な説明】
【図１】本発明の使用時の側面図である。
【図２】本発明の使用時の平面図である。
【図３】本発明の未使用時の側面図である。
【符号の説明】
１  ステッキの取っ手
２  スプリング解除ボタン
３  スプリング保持用フック
５  スプリング式駆動部
８  回収篭挿入口骨組み
１０  ビニール袋留め具
１５  回収篭挿入口ゴムパッキング
１６  挿入口開口部調整と挿入口安定用補強ゴム紐
【図１】
2005006614.tif 000003
【図２】
2005006614.tif 000004
【図３】
2005006614.tif 000005
(57)【要約】【課題】簡易な構成で潤滑材の飛散を防止できるモータを提供する。【解決手段】軸受に潤滑材としてオイル・グリースを用いたモータ１において、軸受２の底面に両面テープ４により被覆部材５を貼り付けた。【選択図】        図１
2005006382.tif 000002
【特許請求の範囲】
【請求項１】
軸受に潤滑材としてオイル・グリースを用いたモータにおいて、軸受底面に両面テープにより被覆部材を貼り付けたことを特徴とするモータ。
【請求項２】
軸受に対面する両面テープ部分に、軸受の外径より大きな穴を形成したことを特徴とする請求項１記載のモータ。
【請求項３】
軸受の外径より大きな穴の開いた第１の被覆部材を上側に、穴の開いていない第２の被覆部材を下側にして重ね貼りしたことを特徴とする請求項２記載のモータ。
【発明の詳細な説明】
【０００１】
【発明の属する技術分野】
本発明は、軸受に潤滑材としてオイル・グリースを用いた、ポリゴンモータに代表されるモータに関する。
【０００２】
【従来の技術】
図４はポリゴンモータ１を示す図であり、（１）は平面図、（２）は側面図である。図５は従来のポリゴンモータを書き込みフレームに取り付けた状態を示す図である。ポリゴンモータ１は部品製造工程において、潤滑材を軸に塗布したあと軸受２に軸を挿入する。このとき余った潤滑材を軸受外部に排出するため、軸受２を完全には密閉しない構成を採っている。そして図２に示すように軸受２の底面が書き込みフレーム３より露出している。
【０００３】
また、類似の技術として、ポリゴンモータの着脱、位置決めが極めて容易かつ安全な光書込ユニットを提供する特許文献１の「光書込ユニット」が知られている。
【０００４】
【特許文献１】
特開２００２−６２５０３号公報
【０００５】
【発明が解決しようとする課題】
上述したように、従来のポリゴンモータは、軸受を完全には密閉しない構成であり、かつ軸受の底面が書き込みフレームより露出しているため、稼動時に機械内部に若干の潤滑材が飛散することがある。
【０００６】
本発明は、簡易な構成で潤滑材の飛散を防止できるモータを提供することを目的とする。
【０００７】
【課題を解決するための手段】
上記目的を達成するために、請求項１記載の発明は、軸受に潤滑材としてオイル・グリースを用いたモータにおいて、軸受底面に両面テープにより被覆部材を貼り付けたモータを最も主要な特徴とする。
【０００８】
請求項２記載の発明は、軸受に対面する両面テープ部分に、軸受の外径より大きな穴を形成した請求項１記載のモータを主要な特徴とする。
【０００９】
請求項３記載の発明は、軸受の外径より大きな穴の開いた第１の被覆部材を上側に、穴の開いていない第２の被覆部材を下側にして重ね貼りした請求項２記載のモータを主要な特徴とする。
【００１０】
【発明の実施の形態】
以下、本発明の実施の形態を図面に従って説明する。なお従来例と同一個所には同一符号を付した。
【００１１】
図１は本発明の第１の実施の形態に係るポリゴンモータを書き込みフレームに取り付けた状態を示す図である。第１の実施の形態に係るポリゴンモータ１は、軸受２の底面に両面テープ４によりマイラー（被覆部材）５を貼り付け、軸受２の底面をマイラー５で覆うものである。
【００１２】
図２は本発明の第２の実施の形態に係るポリゴンモータを書き込みフレームに取り付けた状態を示す図である。第２の実施の形態に係るポリゴンモータ１は、軸受２底面を両面テープ４とマイラー５で覆うときに、両面テープ４が軸受底面に接触しないよう、軸受２に対面する両面テープ４部分に、軸受２の外径より大きな穴４ａを形成したものである。
【００１３】
図３は本発明の第３の実施の形態に係るポリゴンモータを書き込みフレームに取り付けた状態を示す図である。第３の実施の形態に係るポリゴンモータ１は、穴４ａを有する第１の両面テープ４―１を介して、穴４ａと同径の穴５ａを有する第１のマイラ−５−１を貼り付け、ついで穴の開いていない第２の両面テープ４―２を介して穴の開いていない第２のマイラ−５−２を貼り付けたものである。つまり、マイラ−５を重ね合わせたものである。このようにすれば、軸受２の底面と第２のマイラ−５−２の距離を離すことができる。
【００１４】
【発明の効果】
請求項１記載の発明によれば、軸受底面に両面テープにより被覆部材を貼り付けただけの簡易な構成で潤滑材の飛散を防止することができる。
【００１５】
請求項２記載の発明によれば、軸受に対面する両面テープ部分に、軸受の外径より大きな穴を形成したので、潤滑材の飛散を防止する効果に加え、両面テープと潤滑材の化学反応を防止することができる効果がある。
【００１６】
請求項３記載の発明によれば、軸受の外径より大きな穴の開いた第１の被覆部材を上側に、穴の開いていない第２の被覆部材を下側にして重ね貼りしたので、軸受と第２の被覆部材の距離を離すことができ、確実に潤滑材の化学反応を防止することができる。
【図面の簡単な説明】
【図１】本発明の第１の実施の形態に係るポリゴンモータを書き込みフレームに取り付けた状態を示す図である。
【図２】本発明の第２の実施の形態に係るポリゴンモータを書き込みフレームに取り付けた状態を示す図である。
【図３】本発明の第３の実施の形態に係るポリゴンモータを書き込みフレームに取り付けた状態を示す図である。
【図４】ポリゴンモータを示す図である。
【図５】従来のポリゴンモータを書き込みフレームに取り付けた状態を示す図である。
【符号の説明】
１  ポリゴンモータ
２  軸受
３  書き込みフレーム
４  両面テープ
５  マイラー（被覆部材）
【図１】
2005006382.tif 000003
【図２】
2005006382.tif 000004
【図３】
2005006382.tif 000005
【図４】
2005006382.tif 000006
【図５】
2005006382.tif 000007
(57)【要約】【課題】本発明は、輪状隔壁を樹脂とすることにより、発熱を抑え、高速回転を可能とすることを目的とする。【解決手段】本発明によるモータ構造は、前蓋（４）と後蓋（５）間に設ける輪状隔壁（２０）を樹脂とすることにより、発熱を抑えると共に、輪状隔壁（２０）をステータコイル（１０）のポッティング樹脂（３０）で固定して強化する構成である。【選択図】        図１
2005006362.tif 000002
【特許請求の範囲】
【請求項１】
ステータコイル（１０）を有する輪状ステータ（１１）を保持する輪状ケース（１）と、前記輪状ケース（１）の両端に設けられ軸受（２，３）を有する前蓋（４）及び後蓋（５）と、前記各軸受（２，３）間に回転自在に設けられマグネット（１１Ａ）を有するロータ（１２）と、前記前蓋（４）と後蓋（５）間に設けられ前記輪状ステータ（１１）とロータ（１２）間に位置する輪状隔壁（２０）と、前記前蓋（４）及び後蓋（５）に設けられ前記輪状隔壁（２０）の内面に接する一対のＯリング（２１）とを備え、前記輪状隔壁（２０）は、樹脂よりなると共に、前記ステータコイル（１０）を覆うためのポッティング樹脂（３０）と一体状に結合していることを特徴とするモータ構造。
【請求項２】
前記輪状隔壁（２０）の内側と外側では、真空と大気又は液体と大気の雰囲気の組合せであることを特徴とする請求項１記載のモータ構造。
【発明の詳細な説明】
【０００１】
【発明の属する技術分野】
本発明は、モータ構造に関し、特に、ロータ側とステータ側を異なる雰囲気で保つための輪状隔壁を樹脂で形成してステータコイル用のポッティング樹脂で結合させ、渦電流の発生による発熱を抑え、高速回転を可能とするための新規な改良に関する。
【０００２】
【従来の技術】
従来、用いられていたこの種の真空用等のモータ構造としては、輪状隔壁として金属隔壁が採用されていた（例えば、特許文献１参照）。
【０００３】
【特許文献１】
特開平１１−２２０８６３号公報
【０００４】
【発明が解決しようとする課題】
従来のモータ構造は、以上のように構成されていたため、次のような課題が存在していた。
すなわち、輪状隔壁が金属で構成されていたため、モータを高速回転させると渦電流による発熱によってモータの効率が低下し、高速回転を継続することが困難であった。
【０００５】
本発明は、以上のような課題を解決するためになされたもので、特に、ロータ側とステータ側を異なる雰囲気で保つための輪状隔壁を樹脂で形成してステータコイル用のポッティング樹脂で結合させ、渦電流の発生による発熱を抑え、高速回転を可能とするモータ構造を提供することを目的とする。
【０００６】
【課題を解決するための手段】
本発明によるモータ構造は、ステータコイルを有する輪状ステータを保持する輪状ケースと、前記輪状ケースの両端に設けられ軸受を有する前蓋及び後蓋と、前記各軸受間に回転自在に設けられマグネットを有するロータと、前記前蓋と後蓋間に設けられ前記輪状ステータとロータ間に位置する輪状隔壁と、前記前蓋及び後蓋に設けられ前記輪状隔壁の内面に接する一対のＯリングとを備え、前記輪状隔壁は、樹脂よりなると共に、前記ステータコイルを覆うためのポッティング樹脂と一体状に結合している構成であり、また、前記輪状隔壁の内側と外側では、真空と大気又は液体と大気の雰囲気の組合せとした構成である。
【０００７】
【発明の実施の形態】
以下、図面と共に本発明によるモータ構造の好適な実施の形態について説明する。
図１において符号１で示されるものは全体形状が輪状をなす輪状ケースであり、この輪状ケース１の両端には、軸受２、３を有する前蓋４と後蓋５がボルト６、７によって固定されている。
【０００８】
前記輪状ケース１の内面には、ステータコイル１０を有する輪状ステータ１１が内挿して設けられ、前記各軸受２、３間にはマグネット１１Ａを有するロータ１２が回転軸１３を介して回転自在に設けられている。
【０００９】
前記前蓋４と後蓋５間には、輪状隔壁２０が配設され、この輪状隔壁２０の両端は、前記前蓋４及び後蓋５の外周に設けられた一対のＯリング２１を介して嵌合して固定されており、この輪状隔壁２０は前記輪状ステータ１１とロータ１２との間に位置し、輪状ステータ１１とロータ１２との間を気密状態で区割している。従って、ロータ１２と輪状ステータ１１側を、各々、真空と大気、液体と大気として内側と外側の雰囲気を異ならせることができる。
【００１０】
前記輪状隔壁２０は、樹脂で構成され、例えば、周知のＰＥＥＫ（ポリエーテルエーテルケトン）、液晶ポリマー、ＰＢＩ（ポリベンズイミダゾール）、ＰＰＳ（ポリフェニレンサルファイド）等の何れかよりなり、従来の金属と異なって回転時の渦電流による熱発生を抑え、輪状ステータ１１の内面と輪状隔壁２０の外面との間の隙間は、輪状隔壁２０の熱膨張を吸収することができる状態の寸法で構成されている。
【００１１】
前記輪状ステータ１１に設けられたステータコイル１０は、溶融樹脂からなる周知のポッティング樹脂３０の充填によって輪状ステータ１１に固定されている。
前記ポッティング樹脂３０の充填は、前記輪状隔壁２０が前蓋４と後蓋５間に装着された状態で行われるため、このポッティング樹脂３０は輪状隔壁２０の周面に付着するため、このポッティング樹脂３０とステータコイル１０と輪状ステータ１１と輪状隔壁２０とは、互いに一体状に結合し、輪状隔壁２０は前記輪状ステータ１１とロータ１２間を気密状態で分離するように構成されている。
尚、前記輪状ステータ１１にステータコイル１０を巻回する時に用いられた輪状絶縁部５０の内側壁５０ａは、前記輪状隔壁２０に接合している。
【００１２】
【発明の効果】
本発明によるモータ構造は、以上のように構成されているため、次のような効果を得ることができる。
すなわち、輪状隔壁が樹脂で形成されているため、高速回転においても渦電流による熱発生がなく、隔壁の冷却を考える必要がなく、高速運転が可能となり、特に、隔壁の冷却が難しい真空用途では特に有利となる。
また、ステータコイルを輪状ステータに固定するポッティング樹脂によって輪状隔壁も同時に固定しているため、輪状隔壁の強度を大幅に向上させることが可能となる。
【図面の簡単な説明】
【図１】本発明によるモータ構造を示す断面図である。
【図２】図１の要部の拡大断面図である。
【符号の説明】
１    輪状ケース
２、３    軸受
４    前蓋
５    後蓋
１０    ステータコイル
１１    輪状ステータ
１２    ロータ
２０    輪状隔壁
２１    Ｏリング
３０    ポッティング樹脂
【図１】
2005006362.tif 000003
【図２】
2005006362.tif 000004